(57)【要約】【課題】チューブあるいは硬質容器等の容器において、計量手段を備えた容器を一個あるいは複数個結合し合体させた容器として、また容器内部に仕切り部材を設けて、複合容器とし、充填された流動体を小分けに取り出したり、複数種の流動体を個別に取り出して混合等をするために計量しながら使用する容器を提供する。【解決手段】胴部と、先端に吐出口を有する首部と、該首部に嵌合するキャップと、該胴部の外側面に具備したケースと、該ケースに装備したスケールを備えた流動体のチューブ状又は硬質容器の底部等を互いに結合させて一つの容器を形成し、其々のチューブ又は硬質容器に複数の流動体を装填して個別に又は混合して用いることができる。【選択図】  図１
2005132468.tif 000002
【特許請求の範囲】
【請求項１】
胴部と、先端に吐出口を有する首部と、該首部に嵌合するキャップと、該胴部の外側面に具備したケースと、該ケースに装備したスケールを備えたことを特徴とする流動体の容器。
【請求項２】
請求項１記載のケースに装填したスケールを備えた容器を用い、軸方向に二個配列した各容器の底部を互いに結合したことを特徴とする流動体の複合容器。
【請求項３】
請求項１記載のケースに装填したスケールを備えた容器を用い、平行に配列した複数の容器の胴部を互いに結合したことを特徴とする流動体の複合容器。
【請求項４】
請求項３において、首部を胴部に対して適宜の角度を有することを特徴とする流動体の複合容器。
【請求項５】
請求項１ないし４において、容器内を２室に仕切る仕切部材を容器内に設け、前記仕切部材は首部先端の吐出口まで延びて吐出口を２分割し、首部に嵌合するキャップは内側に仕切部材の端部形状に対応して嵌合する凹溝部材を備えることを特徴とする仕切部材による流動体の複合容器。
【請求項６】
請求項２ないし５において、吐出口の口径が異なった容器を複数合体したことを徴とする流動体の複合容器。
【請求項７】
胴部、先端に吐出口を有する首部、該首部に嵌合するキャップ、該胴部の外側面に具備したケース及び該ケースに装備したスケールを備えた複数の流動体の容器と、
複数の流動体の各容器の該首部を貫通させ得る複数の貫通孔を設け、貫通した首部にキャップを嵌合するスペーサとからなることを特徴とする流動体の複合容器。
【請求項８】
請求項７において、個別に備えた複数の容器の各吐出口の口径が異なり、スペーサに設けた貫通孔の口径が異なることを特徴とする流動体の複合容器。
【請求項９】
胴部と、先端に吐出口を有する首部と、透明な材質であって該首部に嵌合する計量付きキャップからなり、胴部にフラット部を備えたことを特徴とする流動体の容器。
【請求項１０】
請求項９において、計量付きキャップ付き容器を軸方向に配列した二個の該容器の底を互いに結合したことを特徴とする流動体の複合容器。
【請求項１１】
請求項９において、計量付きキャップ付き容器を、平行に複数個配列し、複数配列の容器の胴部を互いに結合したことを特徴とする流動体の複合容器。
【請求項１２】
請求項９において、首部を胴部に対して適宜の角度に有することを特徴とする流動体の複合容器。
【請求項１３】
請求項９ないし１２のいずれかにおいて、容器内の容積を仕切る仕切部材を該容器内に設け、仕切部材は首部先端の吐出口まで延びて吐出口を複数口に分割し、該首部に嵌合するキャップは内側に該仕切部材の端部と嵌合する凹溝部材を備えることを特徴とする流動体の複合容器。
【請求項１４】
先端に吐出口を有する首部と、透明な材質であって該首部に嵌合する計量付きキャップからなる容器と、複数の流動体の各容器の該首部を貫通させ得る複数の貫通孔を設け、貫通した首部にキャップを嵌合するスペーサとからなることを特徴とする流動体の複合容器。
【請求項１５】
請求項１４において、個別に備えた複数の容器の各吐出口の口径が異なり、スペーサに設けた貫通孔の口径が異なることを特徴とする流動体の複合容器。
【請求項１６】
請求項９ないし１５記載の容器において、容器が硬質容器であることを特徴とする流動体の容器。
【請求項１７】
流動体の容器の蓋部材表面の開栓口を、ワイヤの一端部に回巻した取手部を形成すると共に他端部に複数回巻して形成した栓部を形成した引抜き開栓タグにより閉鎖して備えることを特徴とする流動体の容器。
【請求項１８】
請求項１７において、容器内を複数の室に仕切る仕切部材を容器内に設け、前記仕切部材は首部先端の吐出口まで延びて吐出口を複数口に分割し、蓋部材で閉蓋したときその内側で仕切部材の端部を閉止するよう構成し、複数口に位置して各引抜き開栓タグを備えていることを特徴とする流動体の複合容器。
【請求項１９】
請求項１７において、蓋部材で閉蓋したときその内側に形成した凹溝部で仕切部材の端部を閉止することを特徴とする流動体の複合容器。
【請求項２０】
請求項１７ないし１９記載のワイヤー形引抜き開栓タグを備えた容器を用い、軸方向に二個配列した各容器の底部を互いに結合したことを特徴とする流動体の複合容器。
【請求項２１】
請求項１７ないし２０記載のワイヤー形引抜き開栓タグを備えた容器を用い、容器内部にその軸方向中間に中仕切部材を設けたことを特徴とする流動体の複合容器。
【請求項２２】
請求項１７ないし２０記載のワイヤ形引抜き開栓タグを備えた流動体の容器において、容器の各端部を被冠する衛星キャップと、衛星キャップに載置被冠する哺乳部品及び保護キャップをさらに備えることを特徴とする流動体の複合容器。
【請求項２３】
請求項１７ないし２０のいずれかにおいて、ワイヤー形引抜き開栓タグを備えた容器を用い、平行に配列した複数の容器の胴部を互いに結合したことを特徴とする流動体の複合容器。
【発明の詳細な説明】
【技術分野】
【０００１】
本発明は、内部に液体、粘性体、粒状体、粉体等を充填する流動体の容器に関し、さらに詳しくは、吐出量を計量可能な流動体の容器、また、異種の流動体を容器から吐出する場合、吐出口の口径が異なった容器や複数本の容器を一つにまとめて使用し、スケールや計量付きキャップを具備させた構成にして決まった一定量を吐出することができる流動体の容器に関し、さらに、引抜き開栓タグ付き流動体の容器に関する。
【０００２】
従来、食品、化粧品、医薬品、接着剤等に用いられている流動体の容器にあっては、流動体の種類が異なる場合、流体の種類ごとに其々一個ずつ個別の容器を用意して使用しなければならなかった。このため、多種類の流動体を用いる場合、使用中に容器本体とキャップが散乱したままにされることが多く、作業能率を低下させていた。また使用前、後において、これらの容器を整理整頓、保管するのに大変手間を要した。さらに、異種の流動体を一定量取り出して混合する場合にも容器内装填物を吐出し過ぎて、装填物を無駄にしてしまう等の問題があった。またさらに、材質が硬い硬質容器は、容器本体である胴部が円筒状の形をしているので容器が倒れた場合等安定性に欠けて転がるといった不都合が生じる。特に高所で使用するとき、容器が転がって下に落下し作業を中断しなければならないという事態があった。また容器から内容物を吐出する開栓について、単一の開栓タグを備えるものは存在したが複数の開栓タグを備えた容器はなかった。
【０００３】
例えば、従来のペースト状、クリーム状、ゲル状、液状などの流動体を装填したフレキシブル容器あるいはラミネートチューブや硬質容器においては、一種類の流動体を一個の容器に装填して使用するので其々個別の容器を用意して用いなければならなかった。それ故多種類の流動体を扱う場合、大変煩雑になり使い勝手が悪く、これらの保管場所も無視できない状態であった。また、硬質容器等を高所で使用する場合、容器が倒れて転がり下に落下し、作業能率を低下させ無駄な時間を費やすことになっていた。
特に化粧品、医薬品、接着剤等の関連で、容器に装填された流動体を吐出口から吐出させて一定量の流動体を取り出す場合、大まかな目測によって取り出していた。液状の流動体にあっては、容器の胴部側面に計測目盛を付与して一定量取り出しているものもあるが、吐出し過ぎたり、吐出し不足になったりして何度も試行を重ねる結果となっていた。またペースト状、クリーム状、ゲル状等の流動体にあっては、吐出し過ぎた場合、容器に戻すことができないため無駄となり大変不都合が生じていた。
【発明の開示】
【発明が解決しようとする課題】
【０００４】
以上から、この出願の発明は、液体、粘性体、粒状体、粉体等の流動体を充填した容器から、その吐出量を計量して取り出すことが可能な流動体の容器を提供することである。また、複数の同種又は異種の流動体を得る場合に、複数本の容器を一つにまとめ容器から吐出することができる複合容器を提供することである。この場合、吐出口の口径が異なった複数の容器や複数本の容器を一つにまとめた容器を使用することができ、スケールや計量付きキャップを具備させた構成にして決まった一定量を吐出することができる。さらに、容器の引き抜き開栓タグについて、単一の円筒状容器端面に複数の引き抜き開栓タグを備えた引抜き開栓タグ付き流動体の容器を提供することである。
【課題を解決するための手段】
【０００５】
この出願の発明は、上記の課題を解決するために、第１に、胴部と、先端に吐出口を有する首部と、該首部に嵌合するキャップと、該胴部の外側面に具備したケースと、該ケースに装備したスケールを備えた流動体の容器を提供する。また、この出願の発明は、第２には、胴部と、先端に吐出口を有する首部と、透明な材質であって該首部に嵌合する計量付きキャップからなり、胴部にフラット部を備えた流動体の容器を提供する。さらに、第３には、流動体の容器の蓋部材表面の開栓口を、ワイヤの一端部に巻回した取手部を形成すると共に他端部に複数巻回して形成した栓部を有する引抜き開栓タグにより閉鎖して備える流動体の容器を提供する。
【発明の効果】
【０００６】
ペースト状、クリーム状、ゲル状等の粘性流動体を装填するラミネートチューブにおいては、装填物を計量して吐出する場合、胴部の側面にスケールを備え付けているのでスケールで計測しながら装填物を吐出することができ、装填物の吐出し過ぎ等の不都合は生じない。また液状の流動体を装填する硬質容器においてもキャップが計量用目盛りを付与した透明な材質なので、液状の装填物を計測しながら必要な量だけ取り出すことができる。
【０００７】
二個のラミネートチューブあるいは硬質容器の底部あるいは胴部を互いに結合し合体させて一つの容器として使用できるので、其々の容器に異種の流動体を装填して用いられ使い勝手に優れている。三種以上の流動体を扱う場合、三個以上の容器の胴部を互いに結合し合体させて一つの容器として使用できる。従来数種の流動体を個別の容器に其々装填して使用した場合、作業現場にその数種の流動体が装填された数種の個別の容器を準備して持ち込まなければならず持ち運びに手間を要する。使用する際も流動体の種類毎に一つ一つキャップを開けて用いるため、キャップを容器自体がばらばらになり作業能率を悪くしていたが、数個の容器を結合させたので一つの容器として取り扱うことができ、作業能率が向上する。
【０００８】
硬質容器において、容器が倒れた時、容器の胴部が曲面をなしているのでどうしても安定性を欠き転がるという不都合が生じていた。特に高所で作業する場合、容器が転がって落下するという事態が見受けられるが、容器が倒れても胴部にフラット部を設けてあるので転がることが無く安定性を保つことができ、安心して作業が行える。
【０００９】
フレキシブルあるいはラミネートチューブにおいて、数種の粘性流動体を個別の容器数個に装填して使用する場合、スペーサを使用してチューブの其々の首部を固定するので、其々の装填物を其々の吐出口からスムーズに取り出すことができる。また個別の数個の容器を一つにまとめて扱うことができ、使い勝手に優れている。
【００１０】
フレキシブルあるいはラミネートチューブ及び硬質容器において、数個の容器に其々異種の流動体を装填して一つにまとめた容器として使用する場合、其々の容器の吐出口が接近して装填物の吐出に支障を来たす時がある。そのため例えば、三個の容器を結合させて一つにまとめた場合、中心に位置した容器に対してその両側に位置した容器の首部に適宜の硬度を付与したので装填物をスムーズに取り出すことができ、使用場所あるいは使用目的によって自由度が増大する。
【００１１】
フレキシブルあるいはラミネートチューブ及び硬質容器において、容器内部に仕切部材を設けたので一個の容器に二種の流動体を装填することができ、数種の流動体を扱う際には大変便利が良い。容器内部を仕切部材で仕切る場合、２〜１０：１程度の範囲内で容器内部を適宜二分割が可能なので、使用料によって仕切部材で適宜仕切ることができる。
【００１２】
開栓部とキャップの構造について、開栓閉栓は1本の構成し、その先端は図１のごとく複数回折り曲げて取手を摘みやすい形状に形成され、他端は平面を螺旋状に巻き上げ、当該キャップに開口した孔を塞げる大きさにまで円形に形成し、開口部を閉塞せしめる構造としたものであるから、開栓するに際して開栓力はワイヤの固定部分に集中的に作用するので、小さな力で容易に開栓が可能となる。
【００１３】
複数種の液体を同一缶内に収納する缶の構造として、哺乳形マルチ缶は、キャップ（１）、哺乳部（２）衛生保護キャップ（３）、（４）及び本体部（５）から構成することができるので、この場合には、哺乳形マルチ缶内に、乳幼児の飲料等、ジュース、お茶、水、ミルクその他の飲料物を収納することができ、必要に応じて開栓し、哺乳部品を取り付けるだけで、簡単に組立使用することが可能となる。
以上、多口多室を有する複合容器においては、各口に異種の飲料物、料理液、治療薬品等を封入することにより、少量多種の内容物を同一容器内に収納することができるため、一つの容器で多くの飲料水等を収納して持ち運びができ、小分けにより、また組み合わせにより吐出できるので、外出時にスペースの削減にも寄与できる。
【００１４】
また、これまでのように一度に全量を使い切ることを要求されることがなく、適宜適量を与えることができるので無駄がなく、缶の太さ、高さなどによって収納液の量を調整することができ、また、与え過ぎを防止することもできる。これらのマルチ缶は介護を要する老年者に薬物を与える治療液にも応用することができる。
【００１５】
また、ペットや動物園の動物、牛、馬等の家畜に、規則正しく定量を与える場合等に適用することもできる。
【発明を実施するための最良の形態】
【００１６】
上記の目的を達成するための本発明の流動体の容器においては、流動体がペースト状、クリーム状、ゲル状等を扱う時のフレキシブル容器あるいはラミネートチューブであって、フレキシブル容器あるいはラミネートチューブの外側面に具備したケースにスケールを装填させてあり、使用に際して、容器の首部先端の吐出口から粘性のある上記の流動体をスケールで計測しながら吐出し、このスケールの板状体で切り落として取り出すことができる。
【００１７】
一方、流動体が液状の時の硬質容器においては、硬質容器の首部と嵌合するキャップが透明な材質であって、そのキャップ外側面に計量用の目盛りを付与しており、使用に際して、首部先端の吐出口からキャップの計量目盛りで計測しながら透明なキャップに取り出すことができる。
【００１８】
二種類の流動体を扱う場合、粘性の流動体を装填したフレキシブルな容器あるいはラミネートチューブにおいては、底部を互いに結合し、あるいは胴部を互いに結合して其々の容器に異種の流動体を装填して一つにまとめた容器として使用できる。また一個の容器内に仕切部材を設けて異種の流動体を装填して使用することもできる。この時の首部に嵌合するキャップは、天頂部に蓋を有し、この蓋は軸によって二分割されその軸に支持され開閉する二枚の蓋を形成している。キャップの内側は仕切部材と結合する凹溝部材を備えており、これによって容器の吐出口は二つに形成されることになる。
【００１９】
装填された流動体を取り出す時には、キャップの天頂部の蓋を半分開いてもう一方の半分は閉じた状態で一種ずつの流動体を吐出口から吐出する。もちろん天頂部の蓋を両方開いて同時に二種の流動体を取り出すこともできる。液状の流動体を装填した硬質容器についても上記のフレキシブル容器の場合と同様である。
【００２０】
三種以上の流動体を扱う場合には、粘性の流動体を装填したフレキシブル容器あるいはラミネートチューブにおいては、三種の粘性流体を其々装填する三個の容器の胴部を互いに結合して一つの容器として使用する。液状の流動体を装填する硬質容器の時も、フレキシブル容器と同様に三個の容器の胴部を互いに結合して一つの容器として使用する。使用目的によっては、フレキシブル容器又は硬質容器は容器の胴部に対して首部が適宜の角度を有した容器でも良い。またフレキシブル容器においては、数種の粘性流動体を装填する数個の容器を其々の胴部で結合し合体させて使用する場合、其々の吐出口が互いに接近していると流動体の取り出しに不都合が生じる時があるので其々の吐出口の間隔を設けておけば都合がよい。この場合は貫通孔を設けたスペーサを用いる。スペーサの容器への取付は、例えば其々の胴部で結合した三個のフレキシブル容器に三種の粘性流動体を装填し、その容器の其々の首部をスペーサの三個の貫通孔に挿入し容器の肩部まで嵌入させ、其々の首部に其々のキャップをスペーサと接触するまで上方より嵌着させる。また個別に数個の容器を使用する場合、スペーサを用いれば数個の容器を一つにまとめて使用することができる。数種の粘性流動体を計量して取り出す場合、流動体を装填する数個のフレキシブル容器の吐出口の口径を同じかあるいは其々異ならしめて使用すれば、具備されたスケールで吐出物の長さを計りながら決められた量を取り出せる。なおこのスケールは吐出口から吐出した吐出物の切り出しも兼ねて使用することができる。硬質容器に装填した液状物を一定量取り出す場合は、計量付きの透明なキャップに吐出して計量しながら取り出すことができる。
【００２１】
以下、本発明の実施例に基づいて詳細に説明する。
【実施例１】
【００２２】
一種の粘性流動体を装填する一個のラミネートチューブあるいはフレキシブル容器（以後チューブという）を図１に示す。図１（a）において、流動体の容器A１を構成するチューブは、胴部１と先端に装填物を吐出する吐出口を有する首部２と、該首部２に嵌合させたキャップ４とを備え、前記胴部１にケース５を具備し、当該ケース５にスケール６を装填したものである。この場合、キャップと該首部との結合はネジ式である。容器に装填される流動体としてはペースト状、クリーム状、ゲル状等である。図１(b)において、該チューブ１に粘性流動体Ｐを装填し吐出口３より吐出した場合を示す。粘性流動体を一定量取り出す時は、胴部１を指で押圧しながら粘性流動体Ｐを吐出口３より吐出し、ケース５に入れたスケール６を用い吐出口Ｐの長さを計測し、切出しを兼ねた板状の該スケールで切り落とす。吐出物が少量の時は手にチューブを垂直に持って手で胴部を押圧しながらスケールにより計測し切り落として取り出せるが、吐出物の量が多くなれば平板状の受取り器具等に吐出しながら吐出物をスケールで計測し切出せばよい。
【実施例２】
【００２３】
キャップと該首部との結合について、上記のネジ式以外に嵌め込み式とすることもできる。図２は、嵌め込み式キャップの例を示す。嵌め込み式キャップを外したチューブを示す図２（a）において、胴部１、首部２を有するチューブは、その首部２の外側中間部の円周に凹部２ｂが設けられ、一方、キャップ４には、その内側中間部の円周に数個設けた凸部４bが設けられる。キャップ4を首部２に嵌めると、凸部4ｂが凹部２bに嵌り回転自在にキャップされる。キャップの装脱はねじ式よりも簡単にできる。
【実施例３】
【００２４】
図３は、２種の粘性流動体を一種ずつ各装填する二個のチューブの底を互いに結合し合体させて一体成型で作成し、一つにまとめた容器として使用する場合を示す。図３（a,ｂ）において、チューブは、軸方向に配置した二個のチューブの底を互いに結合したもので、胴部１と、その先端に装填物を吐出す吐出口2、２a,３を有する首部2,3,、２a、と該チューブの胴部に具備したケース５と、該ケースに装填したスケール６、と、前記首部２a、２,3に螺合させるネジ式のキャップ４からなる。二種の粘性流動体、例えばペースト状物を、２：１の一定割合で取出してこれらを混合したい時は、一方のチューブ、例えば図面上方のチューブに装填されたペースト状物Ｐを、チューブの該胴部1を手で押圧して該吐出口３から吐出しながら該スケール6で計測し、切出しを兼ねた板状の当該スケールによって２ｃｍ切り落とす。次に前記と同様、他方のチューブに装填されたもう一方のペースト状物Ｑをチューブの該胴部を、手で押圧して該吐出口３から装填物を吐出しながら、該スケール6で計測し１ｃｍ切り落とす。そこで、切り出された二種のペーストを混合すれば２：１の割合で混合物を得ることができる。
【実施例４】
【００２５】
図４は、複数の粘性流動体を個別に装填する複数のチューブの各胴部において互いに結合し一体成型した容器を示すものである。図４（a）は、二種の粘性流動体を一種ずつ装填する二個のチューブの胴部を互いに結合し合体させて一体成型で作成し、一つにまとめた容器として使用した場合を示す。また図４（b）は、三種の粘性流動体を各一種ずつ装填する三個のチューブの胴部を互いに結合し合体させて一体成型で作成し、一つにまとめた容器として使用する場合を示す。
図４（b）において、チューブは三個のチューブの胴部が互いに結合され、胴部A５と先端に装填物を吐出す吐出口を有する首部と該チューブの胴部に具備したケース５と該ケースに装填したスケール6と該首部に嵌合させるネジ式のキャップ4からなる。使用に際しては、前記と同様、例えば粘性流動体として三種のゲル状物を一種ずつ三個の該チューブに個別に装填して個別に取出せばよい。
【実施例５】
【００２６】
図５は、複数のチューブの胴部を結合した流動体の複合容器において、首部を胴部に対して適宜の角度を持たせた複合容器を示す。
図５（a）は、三種の粘性流動体を一種ずつ装填する三個のチューブの胴部を互いに結合し合体させ一つにまとめた容器として使用する場合、中間に位置した一個のチューブは胴部と首部の中心線が同一直線状にあり、該チューブの両側に位置した二個のチューブの首部を中間に位置したチューブの中心線に対して４５o傾斜させた場合を示す。この場合、チューブは三個のチューブの胴部を互いに結合し合体させ、胴部１と先端に装填物を吐出す吐出口を有する首部と該チューブの胴部に具備したケース5と該ケースに装填したスケール６と該首部に嵌合するネジ式のキャップ4からなる。使用に際しては、前記と同様、例えば粘性流動体として三種のペースト状物を一種ずつ三個の該チューブに其々装填して取出せばよい。
【００２７】
図５（b）は、三個のチューブの胴部を互いに結合し合体させ一つにまとめた容器として使用する場合、中間に位置した一個のチューブに対して両側に位置したチューブの首部を９０o傾斜させ、一つの容器A７として使用した場合を示す。中間のチューブに対して両側のチューブの首部の傾斜角度は、必要に応じて、また目的によって適宜設定することができる。
【実施例６】
【００２８】
図６、図７は、三種の粘性流動体を一種ずつ装填する個別の三個のチューブをスペーサで合体させて使用した場合を示す。図６は、三つの貫通孔７ａを設けた板状のスペーサ１８に三種のゲル状を装填した三個のチューブの首部を三つの該貫通孔に其々挿入し、該スペーサの上方より其々の該首部にネジ式のキャップを嵌合させたものである。該スペーサに設けた三つの該貫通孔の口径は其々の容器の該首部が丁度挿入できる大きさで、該首部の最下部まで挿入することによって肩部で堅く固定された状態になる。この場合該首部先端の吐出口の口径は同じものである。
【００２９】
図７は、キャップの取り付けがネジ式のチューブにおいて、首部の吐出口の口径が異なったチューブを個別に三個用い、其々に異種の流動体三種を装填した場合を示す。この場合、其々の口径が異なる三個のチューブである。
図７に示すように、其々異なった口径のものを使用することができ、適宜使用目的によって選択可能である。スペーサを使用しているので、フレキシブルなチューブを安定させ、其々の首部と首部の間隔が適度にあって装填物を吐出し易くする。もちろん、チューブの首部の大きさすなわち吐出口の口径が違うチューブを使用する場合は、スペーサの貫通孔の口径もこれに対応して適宜に設定すればよい。
【実施例７】
【００３０】
図８、図９は、一個のチューブ内部に該チューブの長さ方向で内部を１：１に分割する仕切部材を一つ設けて二種の流動体を装填して使用する場合を示す。図８（a）はキャップを外した時の模式図、図８（b）はキャップの斜視図、図８（c）はキャップの裏側から見た斜視図である。図８（a）において、チューブは、胴部１と先端に吐出口３を有し、外側中間部円周上に凹溝２bを備えた首部3と、該チューブ内部を１：１に分割する仕切部材８と、該胴部に具備したケース5及び該ケースに装填するスケール6と、前記首部２に嵌合するキャップ４からなる。チューブ内部に設けた該仕切部材８は先端が首部先端である吐出口の平面上と同一面上となるまで延びているので、首部２先端の吐出口は吐出口３を形成することになる。キャップ４は上面に蓋４d、４eを有し、蓋は直径方向に軸４cを備え、該軸４cを支点とし回転自在に設けられ、二枚の蓋４d、４eを形成している。該蓋４d、４eはキャップ本体とワンタッチで開閉できるようになっている。該キャップはワンタッチ式で内部に該仕切部材の先端と結合する凹溝部材４fと内壁中間部の円周上に凸部材４bを備えている。使用にあたっては、例えば二種のペースト状の装填物をチューブに装填しキャップ４の凹溝部材４fをチューブ内部の仕切部材８の先端と嵌合させ、該キャップを上から押圧することによりキャップ内壁の凸部材４bが該チューブの首部に設けた凹溝２bに嵌合しワンタッチでチューブにキャップを取り付ける。二種のペースト状物を取出す時は、キャップの一方の蓋４d(４e)を手で引っ張りながら開き、蓋を開けた方のチューブの胴部を押圧して一種のペースト状物を吐出口（３a、３b）より吐出す。もう一種のペースト状物を同時に取り出す時も同様に他方の蓋を開け、蓋を開けたほうのチューブの胴部を押圧して吐出口３ｂ（３ａ）より吐出す。勿論二種のペースト状物を同時に取り出したい時は、二枚の蓋共取り外して仕切部材８を境にして両手で胴部１を押圧し、吐出口３ａ、３ｂから同時に二種のペースト状物を吐出すことができる。
【００３１】
チューブ内部に設けるの仕切部材は、本実施例に限定されず２〜１０：１に分割されるよう設けてもよい。例えば、図９はチューブ内部を仕切部材８aによって２：１に分割した場合の斜視図である。
【実施例８】
【００３２】
以下に硬質容器の実施形態について述べる。
図１０は、流動体の容器が硬質容器、例えば硬質製樹脂で作成されたものの例で、その容器に装填する流動体は、例えば液状物であり、一種類の液状物を装填する一個の硬質容器として、図１０（a）ないし(ｂ)に示す。硬質容器は、胴部１１と先端に吐出口１３を有する首部１２と該首部とネジ式で嵌合する計量キャップ１４からなる。該胴部側面には容器の転がりを防止するための一つのフラット部１５を備えている。該キャップは透明な材質であり、取り出す液状の量を計量できるように計量目盛りが表示されている。図１０（c）は液状物Ｒを取り出している状態である。
図１１（a）（b）には胴部１１側面に二つのフラット部１５ａ、１５ｂを設けた硬質容器が示される。図１２（a）（b）、（c）は首部と結合する計量付きキャップにワンタッチ式を使用した場合を示す。
図１２は、前述の実施例２と同様に、キャップと該首部との結合について、上記のネジ式に代えて嵌め込み式とした例を示す。図１２（ｃ）のキャップを外した状態の硬質容において、１１は胴部、１２は首部、１２ｂは該首部の中間部の外側面円周に設けた凹溝である。図１２（a）において、１４は計量付きキャップ、１４bは該キャップの内側側面に三ヶ所設けたと凸部材である。首部へのキャップの取り付けは、キャップを首部に嵌め、上からキャップを押圧することにより凸部材１４bを凹溝１２ｂに嵌合して行う。
【実施例９】
【００３３】
図１３は、前記図１０で使用した容器と同じ硬質容器を使用し、二種の流動体である液状物を一種ずつ装填する二個の硬質容器の底を互いに結合し合体させて一体成型で作成し、一つにまとめた容器として使用した場合を示す。ここで、硬質容器は二個の容器の胴部１１、該胴部に備えたフラット部１５、首部に嵌合する計量付きキャップ１４からなる。
【実施例１０】
【００３４】
図１４は、複数の流動体を個別に装填する複数の硬質容器の各胴部において互いに結合し一体成型した複合容器を示すものである。
図１４（a）は、前記図１０で使用した容器と同じ硬質容器を使用し、二種の流動体である液状物を一種ずつ装填する二個の硬質容器の胴部を互いに結合し合体させて一体成型で作成し、一つにまとめた容器として使用した場合を示す。硬質容器は二個の容器の胴部１１、該胴部に備えたフラット部１５ａ、首部に嵌合する計量付きキャップ１４からなる。
【００３５】
図１４（b）（c）は、前記図１４（a）で使用した容器側面に二つのフラット部を備えた硬質容器と同じものを使用し、三種の流動体である液状物を一種ずつ装填する三個の硬質容器の胴部を互いに結合し合体させて一体成型で作成し、一つにまとめた容器として使用した場合を示す。硬質容器は三個の容器の胴部１１を互いに結合したものである。1５ａはフラット部で、１４は計量付きキャップである。
三種以上の液状物を装填したい場合は適宜三本以上の硬質容器を結合し合体させて一つにまとめた容器として使用すればよい。
【実施例１１】
【００３６】
図１５は、複数の硬質容器の胴部を結合した流動体の複合容器において、首部を胴部に対して適宜の角度を持たせた複合容器を示す。
図５（a）は、三種の液状物を一種ずつ装填する三個の硬質容器の胴部を互いに結合し合体させて、中間に位置した一個の容器は胴部と首部の中心線が同一直線上にあり、該容器の両側に位置した二個の容器の首部を中間に位置した容器の中心線に対して６０o傾斜させて一体成型で作成し、一つの容器として使用した場合を示す。硬質容器は三個の容器の胴部１１、１１ａ、１１aを其々結合し、其々の該胴部にわたって共通のフラット部１６を一つ備え、中間に位置する容器の首部に対して両側の容器の首部を６０o傾斜させたものである。１４はネジ式の計量付きキャップである。胴部に設けるフラット部は互いに対向して二つ設けても良い。
【００３７】
図１５（b）には,三個の硬質容器の胴部を互いに結合し合体させて、中間に位置した一個の容器に対して両側に位置した容器の首部を９０o傾斜させ一つの容器８００として使用した場合を示す。１１、１１ｂ、１１ｂは容器の胴部、１７は其々の該胴部に共通のフラット部、１４はネジ式の計量付きキャップである。両側の首部の傾斜角度は必要に応じて適宜設定してよい。
【実施例１２】
【００３８】
図１６は、一個の硬質容器内部に該容器の長さ方向で内部を１：１に分割する仕切部材を一つ設けて二種の液状物を装填して使用する場合を示す。図１６（a）は、計量付きキャップを取り外した状態の模式図である。また、図１６（b）は計量付きキャップの上方から見た斜視図であり、図１６(ｃ)は計量付きキャップの下方から見た斜視図である。図１６（a）において、硬質容器は胴部１１と首部１２先端が仕切部材１８で二つに仕切られた吐出口１２と胴部側面に設けたフラット部１５と首部に嵌合する計量付きキャップ１４からなる。該首部は外側中間部円周上に凹溝１２b備え、該キャップは透明な計量付きのキャップであって、上面には直径方向に軸１４cを有し、該軸で円形蓋が半分に分割され二つの蓋１４d、１４eを形成し、この二つの蓋は該軸に支持され開閉でき、キャップ本体とワンタッチで取り外しができるようになっている。キャップの内部には容器内部を１：１に分割する仕切部材１８と結合させる凹溝部材１４0ｆと、該首部の外側中間部円周上に設けた凹溝１２bに嵌合する凸部材１４bを備えている。蓋に設けた該軸１４cとキャップ内部に設けた凹溝部材１４0ｆは同一方向に配置してある。
【００３９】
使用にあたっては、例えば二種の液状物を容器の吐出口から注入し装填して、蓋をキャップ本体に取り付け、キャップ１４内部の凹溝部材１４fを容器内部の仕切部材１８の先端と嵌合させ、該キャップを上から押圧することによりキャップ内壁の凸部材１４bが該容器の首部に設けた凹溝１２bに嵌合し、ワンタッチで容器にキャップを取り付ける。二種の液状物を取り出す時は、該キャップの一方の蓋を手で引っ張りながらキャップ本体から取外し一方の吐出口より吐出する。もう一種の液状物を取り出す時も同様に他方の蓋を開け他方の吐出口より吐出する。勿論二種の液状物を同時に取り出したい時は、蓋を手で引っ張りながらキャップ本体から取外し、両方の吐出口から同時に二種の液状物を吐出すことができる。計量して取り出したい場合は、もう一つの同じ計量付きキャップを用意してこのキャップに取り出せばよい。
【００４０】
容器内部に設ける仕切部材は、本実施例に限定されず２〜１０：１に分割されるよう設けてよい。図１７はキャップを取り外した状態の容器を示すものであり、前記図１６で使用した容器と同じ容器を用い、容器内部を仕切部材１８aで分割した場合を示す。図１７（a）は胴部に設けたフラット部１５a側から見た斜視図で、図1７(ｂ)は、図１７（a）の側面側から見た斜視図である。
【実施例１３】
【００４１】
図１８は、前記図１０の実施例で使用したと同じ硬質容器で、首部の吐出口の口径が異なった容器を個別に三個用い、異種の液状物三種を一種ずつ其々に装填した場合を示す。三個の容器１1A、１１B、１１Cの口径が其々ｌ１、ｌ２、ｌ３ある。
この場合、前記した図６、７に示すように、スペーサを使用するものであって、吐出口の口径の相違によって、スペーサの貫通孔の口径もこれに対応して設定されている。この例においても同様に、硬質容器は安定させられ、其々の首部と首部の間隔が適度にあるため装填物が吐出し易い。
【実施例１４】
【００４２】
図１９は、流動体の容器２１の蓋部材表面の開口２２を、ワイヤの一端部に巻回した取手部を形成すると共に、他端部に複数巻回して形成した栓部を備えた引抜き開栓タグ（２５）により閉鎖して備えた流動体の容器を示す。この場合、開栓部とキャップの構造について開栓タグの先端は、図１９(a)に示すように、ワイヤ先端を複数回折り曲げて取手（２５a）として摘みやすい形状に形成する。また他方の先端は、螺旋状をなす平面に巻き上げ、当該キャップに開口した孔を塞げる大きさにまで円形に形成し、前記開口を閉塞せしめる開栓部（２５b）としたものである。
【００４３】
この場合、容器内は仕切部材（２３）により２室に仕切られた構造を有している。
図２０は、容器内を複数の室に仕切る仕切部材で、図１９以外の構造を持つ仕切部材による容器示し、図２０（a）は軸方向に３室に仕切る仕切部材（２３A）によるものを、図２０（b）は軸方向に４室に仕切る仕切部材(２３B)によるものを、さらに図２０（c）は同心状に配置した筒による仕切部材（２３C）によるものを其々示す。上記いずれの例においても、容器内に設けられる仕切部材は、首部先端の吐出口まで延びて吐出口を複数口に分割し、蓋部材で閉蓋したときその内側で仕切部材の端部を閉止するよう構成される。また、材の表面に形成された複数の開口には、其々引抜き開栓タグが設けられる。
【実施例１５】
【００４４】
図２１は、ワイヤー形引抜き開栓タグを備えた容器を、軸方向に二個配列し底部を互いに結合するか、容器内部にその軸方向中間に中仕切部材（２３D）を設けて、軸方向に別個の室を形成した流動体の複合容器を示す。
【実施例１６】
【００４５】
図２２は、前述のワイヤ形引抜き開栓タグ（２５）を備えた流動体の容器を使用し、さらに、容器の各端部に衛生キャップ（２６）を被冠すると共に、一方又は両方の衛生キャップに哺乳部品（２７）を載置し、この哺乳部品（２７）を保護キャップ（２８）で被冠した流動体の複合容器C６を示す。
【００４６】
さらに、ワイヤー形引抜き開栓タグを備えた容器を用い、平行に配列した複数の容器の胴部を互いに結合した流動体の複合容器とすることも可能である。
本発明は、以上のような構成からなっているので、以下に述べる効果を奏する。
【図面の簡単な説明】
【００４７】
【図１】計量容器として一個のチューブによる第１実施例の模式図であり、（a）はねじ式キャップをチューブに取り付けた状態を、（ｂ）はキャップを外したチューブから粘性流動体を計測しながら吐出している状態をそれぞれ模式的に示す図である。
【図２】計量容器として、キャップの取り付けが押込み式である一個のチューブによる第２実施例であり、（a）は押込み式キャップをチューブから取り外して分解した状態を、（ｂ）は押込み式キャップの横断面をそれぞれ模式的に示す図である。
【図３】キャップを取り付けたチューブにおいて二個のチューブの底部を結合した第３実施例であり、（a）はねじ式キャップをチューブに取り付けた状態を、（ｂ）は各チューブから異種の粘性流動体を計測しながら吐出している状態をそれぞれ示す模式図である。
【図４】キャップを取り付けたチューブにおいて複数のチューブを並列してその胴部を互いに結合した実施例であり、（a）は２個のチューブの胴部を、（b）は３個のチューブの胴部を結合した状態を示す模式図である。
【図５】キャップを取り付けたチューブにおいて三個のチューブの胴部を互いに結合した例において、中心のチューブに対して両側に位置したチューブの首部に所定の角度を持たせた実施例であり、（a）は両側のチューブの首部を45度傾斜させた状態を、(b)は両側のチューブの首部を90度傾斜させた状態をそれぞれ示す模式図である。
【図６】キャップを取り付けたチューブにおいて複数のチューブをスペーサに取り付けた実施例を示し、(a)は３個の同一の径のチューブを取付けた状態を、(b)はその取り付けに使用するスペーサの斜視図を示す。
【図７】キャップを取り付けたチューブにおいて、吐出口の口径が其々異なった三個のチューブを使用する実施例の模式図である。
【図８】キャップの取り付けがワンタッチ式のチューブにおける一個のチューブで、内部を仕切部材で分割した構造を有する実施例を示し、（a）はキャップを取り外した状態を示す斜視図であり、（b）は使用するキャップを上方から見た斜視図を、（c）は使用するキャップを下方から見た斜視図をそれぞれ示す。
【図９】キャップの取り付けがワンタッチ式のチューブにおける一個のチューブで、内部を仕切部材で、２：１に分割して仕切った実施例を示し、キャップを取り外した状態を斜視図で示すものである。
【図１０】計量付きキャップの取り付けがネジ式の硬質容器における一個の容器の実施例を模式的に示す図であり、（a）は計量キャップを取り付けた状態を、（b）は硬質容器の横断面図を、（c）は硬質容器から装填した液状物を計量付きキャップに取出している状態を示す模式図である。
【図１１】計量付きキャップの取付けがネジ式の硬質容器における一個の容器で、胴部に二つのフラット部を有する容器の実施例を模式的に示す図であり、（a）はキャップをした状態の硬質容器の斜視図であり、(b)は硬式容器の横断面図である。
【図１２】計量付きキャップを備える硬質容器において、計量付きキャップの取付けをワンタッチ式とした硬質容器の実施例を示し、(a)は硬質容器に取り付ける計量付きキャップの斜視図を、（b）計量付きキャップの横断面図を、（c）はキャップを取外した状態の模式図をそれぞれ示す。
【図１３】計量付きキャップの取り付けがネジ式の硬質容器について、二個の容器の底部において互いに結合した実施例を示し、容器底部結合状態の模式図である。
【図１４】計量付きキャップの取り付けがネジ式の硬質容器について、複数の容器の胴部において互いに結合した実施例を示し、（a）は２個の容器を、（b）３個の容器を、其々の胴部に形成したフラット部を同一面側に揃えて、胴部を互いに結合した状態を示す模式図であり、(c)は図１４（b）に示した硬質容器の横断面図である。
【図１５】計量付きキャップの取り付けがネジ式の硬質容器を三個併設した容器で、其々の胴部を互いに結合し共通のフラット部を一つ有した実施例を示し、（a）は中心に位置した容器に対して両側の容器の首部を６０度傾斜させた状態の模式図であり、(ｂ)は中心に位置した容器に対して両側の容器の首部を９０度傾斜させた状態の模式図である。
【図１６】計量付きキャップの取付けがワンタッチ式の硬質容器における一個の容器で、仕切部材で内部を分割した容器の実施例を示し、（a）は内部を仕切部材で１：１に分割した場合の実施例で、キャップを取外した状態の模式図であり、(ｂ)は使用する計量付きキャップを上方から見た斜視図であり、(ｃ)は使用する計量付きキャップを下方から見た斜視図である。
【図１７】計量付きキャップの取付けがワンタッチ式の硬質容器における一個の容器で、内部を仕切部材で１：２に分割した実施例を示し、（a）はキャップを取外した状態の正面図を、(ｂ)は硬質容器の側面図をそれぞれ示す。
【図１８】計量付きキャップの取り付けがネジ式の硬質容器における個別の三個の容器で、吐出口の口径が其々異なった容器を使用した実施例を示す模式図である。
【図１９】流動体の容器の蓋部材表面の開口を引抜き開栓タグにより閉鎖する流動体の容器の実施例を示し、（a）から（c）までは、ワイヤから引抜き開栓タグを作製する工程を示し、（d）は引抜き開栓タグを備えた蓋部材と、仕切部材により２室に仕切られた本体部を分解した状態で示す。
【図２０】容器内を複数の室に仕切る仕切部材を異なる形態で示す実施例であり、（a）は軸方向に３室に仕切る仕切部材によるもの、（b）は軸方向に４室に仕切る仕切部材によるもの、（c）は同心状に配置した筒による仕切部材によるものを其々示す。
【図２１】ワイヤー形引抜き開栓タグを備えた容器を、軸方向に二個配列し底部を互いに結合するか、容器内部にその軸方向中間に中仕切部材を設けて、軸方向に別個の室を形成した流動体の実施例を示す。
【図２２】図２１の実施例において、さらに哺乳部品を衛生的に備える流動体の複合容器の実施例を示す。
【符号の説明】
【００４８】
１、１ａ、１ｂ    チューブの胴部
２    首部
２a    ねじ
２b    凹溝
３    吐出口
４    キャップ
４a   ねじ
４b   凸部材
４c   枢軸
４d   蓋  
４e   蓋
４f   仕切部材
５    ケース
６    スケール
７    スペーサ
７a   貫通孔
８、８a  仕切部材
１１、１ａ、１ｂ    硬質容器の胴部
１２    首部
１２a    ねじ
１２b    凹溝
１３    吐出口
１４    計量キャップ
１４a   ねじ
１４b   凸部材
１４c   枢軸
１４d   蓋  
１４e   蓋
１４f   仕切部材
１５，１５a，１５b    フラット部
１６    フラット部
１７    フラット部
１８，１８a    仕切部材
２１  本体部
２２，２２A，２２B，２２C  蓋部
２２a  開口
２３，２３A，２３B，２３C，２３D  仕切部材
２４    仕切部材
２５    開栓タグ
２５a    取手部
２５b    開栓部
２６    衛生キャップ
２７    哺乳部品
２８    キャップ
【図１】
2005132468.tif 000003
【図２】
2005132468.tif 000004
【図３】
2005132468.tif 000005
【図４】
2005132468.tif 000006
【図５】
2005132468.tif 000007
【図６】
2005132468.tif 000008
【図７】
2005132468.tif 000009
【図８】
2005132468.tif 000010
【図９】
2005132468.tif 000011
【図１０】
2005132468.tif 000012
【図１１】
2005132468.tif 000013
【図１２】
2005132468.tif 000014
【図１３】
2005132468.tif 000015
【図１４】
2005132468.tif 000016
【図１５】
2005132468.tif 000017
【図１６】
2005132468.tif 000018
【図１７】
2005132468.tif 000019
【図１８】
2005132468.tif 000020
【図１９】
2005132468.tif 000021
【図２０】
2005132468.tif 000022
【図２１】
2005132468.tif 000023
【図２２】
2005132468.tif 000024